(57)【要約】  本体１０が負圧源に接続される少くとも１つの入口通路２０と第１の開口３６と突起７０とを備えている。キヤツプ１６がハンドル１４に取り外し可能に取り付けられ、第１の開口３６を有する室５０を形成する。キヤツプ１６の外縁が少くとも第１，第２の切欠６８を有し、第１，第２の切欠６８がそれぞれ突起７０に独立に係合するようになつている。第２の切欠６８は第１の切欠６８よりも長手方向に延びる深さが深いものであり、これにより第１の切欠６８が突起７０に係合した時、研磨円板１２が室５０の内部に収容され、第２の切欠６８が突起７０に係合した時、研磨円板１２が第１の開口３６を経て室５０から突出する。研磨円板１２は本体１０に取外し可能に取り付けられるようになつており、組立体１０は研磨円板１２が室５０に配される第１の位置と、研磨円板１２が室５０の内部から第１の開口３６を経て外方へ突出する第２の位置との間で調整可能になつている。
2008504909.tif 000002
【特許請求の範囲】
【請求項１】
本体が負圧源に接続される少くとも１つの入口通路と第１の開口と突起とを備えており、キヤツプがハンドルに取り外し可能に取り付けられる第１の開口を有する室を形成し、該キヤツプの外縁が少くとも第１，第２の切欠を有し、第１，第２の切欠がそれぞれ前記突起に独立に係合するようになつており、第２の切欠は第１の切欠よりも長手方向に延びる深さが深いものであり、これにより第１の切欠が前記突起に係合した時、前記研磨円板が前記室の内部に収容され、第２の切欠が前記突起に係合した時、前記研磨円板が第１の開口を経て前記室から突出し、さらに、研磨円板は前記本体に取外し可能に取り付けられるようになつており、前記組立体は研磨円板が前記室に配される第１の位置と研磨円板が前記室の内部から第１の開口を経て外方へ突出する第２の位置との間で調整可能になつていることを特徴とする、皮膚研磨用手工具組立体。
【請求項２】
前記キヤツプは半球状のスカートを有する中空ドームを形成し、かつ第１，第２の開口を備えており、第２の開口は前記本体を係合するようになつており、第１の開口は研磨円板よりも大径のものであり、研磨円板が第１の開口の通過を許すようになつている、請求項１に記載の皮膚研磨用手工具組立体。
【請求項３】
前記研磨円板は内部に少くとも１つの通路を備えており、研磨円板が前記本体に支持される時、前記通路は前記本体の第１の通路と同軸に並ぶ、請求項１，２のいずれかに記載の皮膚研磨用手工具組立体。
【請求項４】
前記組立体は前記ハンドルに独立に係合する、外径の異なる複数の研磨円板を備えており、各研磨円板は第１の開口の寸法にほぼ対応するキヤツプを有する、請求項１〜３のいずれかに記載の皮膚研磨用手工具組立体。
【請求項５】
前記本体は入口通路と出口通路とを備えており、前記入口通路は負圧源に接続され、前記出口通路は粒子供給コンテナに接続される、請求項１〜４のいずれかに記載の皮膚研磨用手工具組立体。
【請求項６】
前記研磨円板は前記ハンドルを取り付けた時、第１，第２の位置を備えており、第２の位置で前記研磨円板は前記キヤツプの第１の開口を経て突出し、第１の位置で前記研磨円板は前記室の内部へ収容され、これにより前記粒子供給コンテナから前記出口通路を通過する粒子の流れを許す、請求項５に記載の皮膚研磨用手工具組立体。
【請求項７】
ハンドルとして働く本体が負圧源に接続される少くとも１つの入口通路を備えており、研磨円板が前記ハンドルに取り外し可能に取り付けられるようになつており、それぞれ第１，第２の室を閉鎖する少くとも第１，第２のキヤツプを備えており、第１のキヤツプが本体に取り付けられる時、研磨円板が第１の室から突出し、第２のキヤツプが前記ハンドルに取り付けられる時、研磨円板が第２の室の内部に収容されることを特徴とする、皮膚研磨用手工具組立体。
【請求項８】
ハンドルとして働く本体が負圧源に接続される少くとも１つの入口通路を備えており、第１の開口を有するキヤツプがハンドルに取り外し可能に取り付けられて室を区画するようになつており、研磨円板はハンドルに摺動可能に取り付けられ、
組立体は研磨円板が室の内部に配される第１の位置と、研磨円板が第１の開口を経て室から突出する第２の位置との間に変位することを特徴とする、皮膚研磨用手工具組立体。
【発明の詳細な説明】
【技術分野】
【０００１】
本発明は研磨円板を有する皮膚手入れ道具ないし研磨用手工具組立体に関するものである。
【背景技術】
【０００２】
研磨材により皮膚の研磨を行うことは公知の技術である。人の皮膚は一体をなす表皮と真皮と皮下組織（subcutis）との３層から構成される。表皮の内面（底面）は２〜４週後には表面層になり、表皮となる新たな細胞部を形成する。表皮の最外層は幾層かの死皮をなし、表皮の最外層は幾層かの死層をなし、皮膚の低層に対する緩衝層として働く。
【０００３】
人が齢をとると、表皮は退化し始め、厚くなり、かつ乾燥する。退化した表皮は詰つた毛穴へと導き、さらには皮膚病を起す。皮膚は太陽から損傷を受け、さらには加齢の原因となり、皮膚の外観に影響を及ぼす。結果として、加齢の表れを抑え、皮膚の健康で清潔さを保つために、日頃の洗浄や洗顔を含む種々の手入れがなされてきた。
【０００４】
表皮から死んだ皮膚細胞を取り除くのを助けるために、掻き取り刃や洗い落しパツドを含む数々の道具ないし装置が提案されている。これらの道具は死んだ皮膚細胞を取り除くが、皮膚表面から死んだ皮膚細胞を取り除くものではない。したがつて、領域が完全に洗浄されない限り、死んだ皮膚細胞は皮膚表面に残り、毛穴に詰ることとなる。
【０００５】
研磨による手入れ（治療）も、組織の傷跡を軽減するのに用いられる。研磨パツドや化学品は、外科手術や事故による傷跡の外観を緩和するのに用いられる。この種の治療ないし手当は組織の傷跡が顔とか腕のような目立つ部分にある場合にしばしば用いられ、特に黒点（斑点）や損傷を取り除くのに有効な治療である。皮膚研磨も妊娠の結果生じる伸縮の跡（stretch mark）の手入れに有効である。
【特許文献１】ＷＯ−Ａ−８５０４０９４                  ＷＯ９９／２３９５１
【発明の開示】
【発明が解決しようとする課題】
【０００６】
本発明の目的は表皮外層をこすつて磨く研磨円板を有し、上述の問題の少くとも幾分か克服する皮膚研磨道具ないし有用な代替品すなわち手工具組立体を公に提供することにある。
【課題を解決するための手段】
【０００７】
上記課題を解決するために、本発明の構成は皮膚研磨用手工具組立体として、本体が負圧源に接続される少くとも１つの入口通路と第１の開口と突起とを備えており、キヤツプがハンドルに取り外し可能に取り付けられる第１の開口を有する室を形成し、該キヤツプの外縁が少くとも第１，第２の切欠を有し、第１，第２の切欠がそれぞれ前記突起に独立に係合するようになつており、第２の切欠は第１の切欠よりも長手方向に延びる深さが深いものであり、これにより第１の切欠が前記突起に係合した時、前記研磨円板が前記室の内部に収容され、第２の切欠が前記突起に係合した時、前記研磨円板が第１の開口を経て前記室から突出し、さらに、研磨円板は前記本体に取外し可能に取り付けられるようになつており、前記組立体は研磨円板が前記室に配される第１の位置と研磨円板が前記室の内部から第１の開口を経て外方へ突出する第２の位置との間で調整可能になつていることを特徴とする。
【発明の効果】
【０００８】
本発明によれば、加齢により退化した表皮に微粒子を当て、研磨円板により取り除き、負圧源の負圧により吸い寄せて外部へ導くので、毛穴の詰まりを防ぎ、皮膚の健康で清潔さを保つことができる。
【発明を実施するための最良の形態】
【０００９】
本発明の一形態では以下の構成をなす皮膚研磨用手工具組立体が提案される。すなわち、本体が負圧源に接続される少くとも１つの入口通路を有しかつ第１の開口と突起を備え、ハンドルに取り付けられる構成になつている室を形成する第１の開口を有するキヤツプが、該キヤツプの外縁に少くとも第１，第２の切欠を有し、第１，第２の切欠がそれぞれ独立に前記突起に係合する構成になつており、長手方向に延びる第２の切欠は第１の切欠よりも深いものであり、これにより第１の切欠が前記突起に係合する時、前記研磨円板が前記室の内部に収容され、第２の切欠が前記突起に係合する時、前記研磨円板が第１の開口を経て前記室から突出する。さらに、研磨円板は前記本体に取外し可能に取り付けられ、前記組立体は研磨円板が前記室に配される第１の位置と研磨円板が前記室の内部から第１の開口を経て外方へ突出する第２の位置との間で調整可能な構成になつている。
【００１０】
好ましくは、前記キヤツプは半球状のスカートを有する中空ドームの形態をなし、第１，第２の開口を備えており、第２の開口は前記本体を係合する構成になつており、第１の開口は研磨円板が通過するように研磨円板の直径よりも大きいものになつている。
【００１１】
好ましくは、前記研磨円板は内部に少くとも１つの通路を備えており、研磨円板が前記本体に支持されている時、前記通路は前記本体の第１の通路と同軸に並ぶ。
【００１２】
好ましくは、前記皮膚研磨用手工具組立体は種々の外径をなし、それぞれが独立に前記ハンドルに係合する複数の研磨円板を備えており、各研磨円板は前記ハンドルを独立に係合し、前記研磨円板は第１の開口の寸法にほぼ対応するキヤツプを有する。
【００１３】
好ましくは、前記本体は入口通路と出口通路とを備え、前記入口通路は負圧源に接続され、前記出口通路は粒子供給コンテナに接続される。
【００１４】
好ましくは、前記研磨円板は前記ハンドルを取り付けた時、第１，第２の位置を備えており、第２の位置では前記研磨円板は前記キヤツプの第１の開口を経て突出し、第１の位置では前記研磨円板は前記室の内部へ収容され、これにより前記粒子供給コンテナから前記出口通路を通過する粒子の流れを許す。
【００１５】
本発明のさらなる形態では、以下の構成をなす皮膚研磨用手工具組立体が提案される。すなわち、ハンドルとして働く本体が負圧源に接続される構成の少くとも１つの入口通路を備えており、研磨円板が前記ハンドルに取り外し可能に取り付けられる構成になつており、それぞれ第１，第２の室を閉鎖する少くとも第１，第２のキヤツプを備えており、第１のキヤツプが本体に取り付けられる時、研磨円板が第１の室から突出し、第２のキヤツプが前記ハンドルに取り付けられる時、研磨円板が第２の室の内部に収容される。
【００１６】
本発明のさらなる形態では、以下の構成をなす皮膚研磨用手工具組立体が提案される。すなわち、ハンドルとして働く本体が負圧源に接続される構成の少くとも１つの入口通路を備えており、第１の開口を有するキヤツプがハンドルに取り外し可能に取り付けられ、これにより室を区画する構成になつており、研磨円板はハンドルに摺動可能に取り付けられ、皮膚研磨用手工具組立体は研磨円板が室の内部に配される第１の位置と、研磨円板が第１の開口を経て室から突出する第２の位置との間で変位される。
【実施例１】
【００１７】
以下、添付図面に基づき本発明を詳細に説明する。添付図面は本説明に組み込まれて本説明の一部を構成し、さらに本説明とともに本発明の幾つかの実施例を明示し、本発明の特長と原理の理解に役立てるものである。
本説明には例示的な実施例が含まれるが、他の実施例も実施可能であり、これから説明する実施例に、本発明の精神と範囲を逸脱しない限り変更を加えることができる。同じ符号が、可能な限り全図の同様の部材に用いられ、以下の説明に参照される。
【００１８】
本発明は皮膚の表面の研磨に用いる皮膚手入れ道具、つまり皮膚研磨用手工具組立体に関するものである。皮膚研磨用手工具組立体の詳細な操作については、ロナルド  アラン  グリーンベルグ名義のＷＯ９９／２３９５１を参照されたい。図１に示す第１の実施例では、皮膚研磨用手工具組立体１０は研磨円板１２と、ハンドル１４と、キヤツプ１６とを備えている。ハンドル１４は出口通路１８と入口通路２０を備えている。出口通路１８は管２２を介して粒子供給コンテナ（図示せず）に接続され、入口通路２０は管２４を介して負圧源（図示せず）に接続される。開口ないし開口２６を有する研磨円板１２は頭部２８に取り付けられる。頭部２８はねじ軸３０と、開口２６に連なる長手方向のダクト３２とを備えている。ダクト３２には１つ以上の開口２６があり、全ての開口２６はダクト３２に連通される。さらに、研磨円板１２は係合部４０を備え、頭部２８を用いないでも、ハンドル１４に直接接続できるようにしてもよい。頭部２８はまたハンドル１４に対し頭部２８を取り付け・取り外すための工具（図示せず）を係合する切欠３３を備えている。
【００１９】
研磨円板１２を支持するねじ軸３０は、ハンドル１４の係合部としてのねじ孔３４に螺合される。こうして、研磨円板１２は簡単に緩めることによりハンドル１４に取り外し可能に取り付けられる。本実施例において、係合部はねじ軸３０とねじ孔３４の形態になつているが、これは係合手段の一形態にすぎず、他の形態がハンドル１４に研磨円板１２を配設するのに用いることができるのは明らかである。皮膚研磨用手工具組立体１０は頭部２８をハンドル１４に取り付けると、出口通路１８とダクト３２が一直線に並ぶように構成される。このことは皮膚研磨用手工具組立体１０の操作中は、粒子が通路１８を経てダクト３２の内部へ流入し、さらに研磨円板１２の開口２６を経て流出することを意味する。
【００２０】
本発明は例えば小径の研磨円板１２は目の周りの部分の研磨に用いる一方、大径の研磨円板１２は皮膚の平坦な部分の研磨に用いるなど、種々の要求に応じて寸法の異なる研磨円板１２を提供する。しかし、全ての寸法の研磨円板１２と、研磨円板１２に対応するキヤツプ１６とが、同じハンドル１４に取り付けられることを考慮するべきである。したがつて、このことは唯一のハンドル１４しか持つていない使用者にとつて費用の節減になる。さらに、研磨円板１２に合つたキヤツプ１６が、他の外径の研磨円板１２を要求する場合に、ハンドル１４を負圧源と微粒子源とから完全に切り離す必要がない。
【００２１】
キヤツプ１６は第１の開口３６と第２の開口３８とを備える中空のドーム状の形態の構造とされる。図２ａ，２ｂに示す係合部４０は、第１の開口３６と直接接するドーム状をなすキヤツプ１６の内部に配される。係合部４０はハンドル１４の係合部４２に対向する。こうして、キヤツプ１６はハンドル１４に取り外し可能に取り付けられる。係合部４０はねじとしての形態で示されるが、このような特殊な構成に限定されるものではない。第２の開口３８の直径は、研磨円板１２の外径よりも幾分大きくなつている。第２の開口３８の直径は研磨円板１２よりも２〜５ｍｍほど大きいと予測されるが、直径の差は特別な範囲に限定されるものではない。こうして、研磨円板１２がキヤツプ１６の下側の第２の開口３８を経て突出するような位置に配設可能とされるか、代りに、研磨円板１２が第２の開口３８の外リム４３の下側でキヤツプ１６の内部に収容されるような位置に配設可能とされる。
【００２２】
図２ａに注目すると、皮膚研磨用手工具組立体１０は研磨円板１２が第２の開口３８を経て突出する第１の位置を表す。この状態では、研磨円板１２は皮膚に直接当てられ、表皮４４を磨くように操作される。この操作中に取り除かれる皮膚細胞は入口通路２０を経て負圧源（図示せず）の負圧により矢印４６の方へ吸い上げられる。研磨円板１２は使用者に表皮４４を力強く磨くのを許す。このことは、使用者が表皮層４４に深く残る傷跡やしみを治療するのに特に有用である。キヤツプ１６はその後、図２ｂに示第２の位置へと矢印４８の方向へ調整される。第２の位置では研磨円板１２はキヤツプ１６の室５０の内部へ収容され、第２の開口３８からは突出しない。この状態では、皮膚表面４４は部分的に引き上げられて室５０を封止し、負圧源（図示せず）の負圧は微粒子を微粒子源（図示せず）から通路１８、ダクト３２を経て研磨円板１２の開口２６から流出させる。微粒子は皮膚表面４４を磨く働きをし、次いで入口通路２０を経て吸い上げる。こうして、キヤツプ１６が図２ａに示す第１の位置にある時、皮膚表面４４は研磨円板１２で力強く磨かれ、次いでキヤツプ１６が図２ｂに示す第２の位置にある時、皮膚表面４４は微粒子を用いてやさしく磨かれる。キヤツプ１６が第２の位置にある時、研磨円板１２は皮膚表面４４と接し、これにより皮膚表面４４を磨く働きをする。
【００２３】
図３ａ，３ｂに示すさらなる実施例では、寸法の異なる２つのキヤツプ１６が開口３８に対する研磨円板１２の位置を調節するのに用いられる。図３ａにおいて、キヤツプ１６は研磨円板１２にキヤツプ１６の第２の開口３８を経て突出するのを許すような長さのものである。逆に、図３ｂに示すキヤツプ１６は、研磨円板１２がキヤツプ１６の室５０の内部に収容され、第２開口３８から突出しないのを確保するような長さのものである。キヤツプ１６はシール用Ｏリング５２により摩擦的に保持される。
【００２４】
図２ａ，２ｂ，３ａ，３ｂに示すように、研磨円板１２には種々の寸法のものがある。しかし、各寸法の研磨円板１２の縁部とキヤツプ１６の第２の開口３８の縁部との間の距離は一定である。これは、研磨円板１２の特別な寸法に対応するキヤツプ１６とすることにより達成される。
【００２５】
図４に示す実施例では、頭部２８はハンドル１４の内部に摺動可能に取り付けた軸５４に接続される。この構成では第２の開口３８に対する研磨円板１２の配置は、皮膚研磨用手工具組立体１０の操作中に調節できる。これは研磨円板１２とキヤツプ１６をハンドル１４から外す必要を回避する。軸５４の位置は制御スイツチ５６により調節される。図５ａに示すように、制御スイツチ５６が第１の位置にある時、研磨円板１２は第２の開口３８から突出する。軸５４は付勢ピンの形態にあるロツク手段５８により図示の位置に保持される。ロツク手段５８は研磨円板１２がなくても皮膚表面４４の研磨中に最大圧力を加えられ、キヤツプ１６が室５０の内部へ引込むを保証する。制御スイツチ５６は軸５４を矢印６０の方向へ移動し、図５ｂに示す第２の位置にするのに用いられる。この位置では、研磨円板１２はキヤツプ１６の室５０の内部へ収容され、微粒子は出口通路１８から流出できる。軸５４はロツク手段５８により、この第２の位置に保持される。
【００２６】
図６に示す実施例では、研磨円板６２は開口を備えていない。本発明のこの形態では、ハンドル１４は管２２を介して負圧源（図示せず）に接続する入口通路６４を備えている。研磨円板６２は第２の開口３８を経てキヤツプ１６の表面の下側へ突出するか、代りに研磨円板６２がキヤツプ１６の室５０の内部に収容されるように配設される。
【００２７】
研磨円板６２が第２の開口３８から突出する時、表皮４４は研磨円板６２の使用により力強く磨かれる。研磨円板６２が室５０の内部へ引退する時、皮膚研磨用手工具組立体１０の開口３８は引き込まれた皮膚表面４４に接する。この時、外リム４３は皮膚表面４４に密封された状態を形成する。こうして、研磨円板６２により取り除かれ死んだ皮膚細胞は、負圧源により入口通路６４へ吸い上げられる。研磨円板６２が引き込まれる程度に応じて、研磨円板６２は皮膚表面４４をやさしく磨くように働く。このことは特に皮膚研磨用手工具組立体１０を目の周囲のように感じやすい部分に用いる場合に有用である。  
【００２８】
図７に示す代替実施例では、キヤツプ１６は深くなつている複数の切欠６８が、ハンドル１４の突起７０を係合するようになつている。４つの切欠７２，７４，７６，７８が図に示されているが、本発明は４つの切欠を使用するものに限定されない。キヤツプ１６は２つのＯリング８０，８２を備えるハンドル１４に摺動可能に係合する。Ｏリング８０，８２は空気だけが開口３８を経て吸引されるのを確保する。頭部２８は図７に示すように、研磨円板１２の中心に単一の開口８４ａを備えている。開口８４ａは負圧により皮膚表面から弛んだ皮膚細胞を除くのに用いられる。図８ａ，８ｂに示すように、切欠７２，７４，７６，７８は、深さの異なるものであり、これは研磨円板１２が開口３８に対しそれぞれ異なる位置に配されるのを保証する。
【００２９】
図９ａに示すように、研磨円板１２が第２の開口３８から突出する時、研磨円板１２は皮膚表面４４を磨くのに用いられる。研磨円板１２が室５０へ引き込まれた時、図９ｂに示すように、負圧源の負圧は、出口通路８６を経て矢印８８の方向へ空気を引き込む。頭部２８は出口通路８６とダクト８４が並ぶように、ハンドル１４に取り付けられる。室５０の内部に生じた負圧は、ダクト８４を経て緩んだ皮膚表面４４から皮膚細胞を取り除く状態にする。代りに、図１０ａ，１０ｂに示すように、室５０の内部に頭部２８から独立する入口通路９０を備えてもよい。本実施例では、緩んだ皮膚細胞は開口９２を通じて取り除かれる。
【００３０】
本発明は皮膚の外面層を磨く皮膚研磨用手工具組立体を提供する。本発明の皮膚研磨用手工具組立体は研磨円板がキヤツプの第２の開口を経て開口の下側へ突出する時、皮膚を強く磨く能力を発揮する。
【００３１】
研磨円板はキヤツプにより封止された室の内部に引き込まれ、皮膚研磨用手工具組立体は死んだ皮膚微粒子を吹き流し、つまり皮膚表面をやさしく磨くのに用いられる。本発明の皮膚研磨用手工具組立体は同じハンドルが手入れに適した種々の寸法の研磨研磨円板とキヤツプの取付を許すように、使用者の特殊な条件を適合させる能力をもつている。万人に適した寸法と構成の異なる全ての研磨円板を係合するハンドルの利用は、装備のコトスを低減する。
【００３２】
さらなる利点と改良は、本発明をその範囲から逸脱することなく良好なものにするであろう。本発明は最も実用的で好適な実施例と考えられる事柄について図示し説明したが、原点は本発明の範囲と精神から発し、ここに開示した詳細に制限されるものではなく、範囲の全分野と一致し、全ての機器・装置を包含すると理解すべきものである。
【図面の簡単な説明】
【００３３】
【図１】本発明に係る皮膚研磨用手工具組立体の斜視図である。（第１実施例）
【図２ａ】キヤツプが第１の位置にある図１の皮膚研磨用手工具組立体の側面断面図である。
【図２ｂ】キヤツプが第２の位置にある図１の皮膚研磨用手工具組立体の側面断面図である。
【図３ａ】本発明に係る皮膚研磨用手工具組立体が第１の位置にあるのを示す側面断面図である。（第２実施例）
【図３ｂ】本発明の皮膚研磨用手工具組立体が第２の位置にあるのを示す側面断面図である。
【図４】本発明に係る皮膚研磨用手工具組立体の斜視図である。（第３実施例）
【図５ａ】第１の位置にある図４の皮膚研磨用手工具組立体の側面断面図である。
【図５ｂ】第２の位置にある図４の皮膚研磨用手工具組立体の側面断面図である。
【図６】本発明に係る皮膚研磨用手工具組立体の斜視図である。（第４実施例）
【図７】本発明に係る皮膚研磨用手工具組立体の斜視図である。（第５実施例）
【図８ａ】第１の位置にある図７の皮膚研磨用手工具組立体の側面図である。
【図８ｂ】第２の位置にある図７の皮膚研磨用手工具組立体の側面図である。
【図８ｃ】第３の位置にある図７の皮膚研磨用手工具組立体の側面図である。
【図８ｄ】第４の位置にある図７の皮膚研磨用手工具組立体の側面図である。
【図９ａ】伸長状態にある図７の皮膚研磨用手工具組立体の側面断面図である。
【図９ｂ】引退状態にある図７の皮膚研磨用手工具組立体の側面断面図である。
【図１０ａ】本発明に係る皮膚研磨用手工具組立体の伸長状態を示す側面断面図である。（第６実施例）
【図１０ｂ】図１０ａの皮膚研磨用手工具組立体の引退状態を示す側面断面図である。
【符号の説明】
【００３４】
１０：手工具組立体  １２：研磨円板  １４：ハンドル  １６：キヤツプ  １８：出口通路  ２０：入口通路  ２２：管  ２４：管  ２６：開口  ２８：頭部  ３０：ねじ軸  ３２：ダクト  ３３：切欠  ３４：ねじ孔  ３６：第１の開口  ３８：第２の開口  ４０：係合部  ４２：係合部  ４３：外リム  ４４：表皮  ４６：矢印  ４８：矢印  ５０：室  ５２：Ｏリング  ５４：軸  ５６：制御スイツチ  ５８：ロツク手段  ６０：矢印  ６４：入口通路  ６６：管  ６８：切欠  ７０：突起  ７２：切欠  ７４：切欠  ７６：切欠  ７８：切欠  ８０：Ｏリング  ８２：Ｏリング  ８４ａ：開口  ８４：ダクト  ８６：出口通路  ８８：矢印  ９０：入口通路  ９２：開口
【図１】
2008504909.tif 000003
【図２ａ】
2008504909.tif 000004
【図２ｂ】
2008504909.tif 000005
【図３ａ】
2008504909.tif 000006
【図３ｂ】
2008504909.tif 000007
【図４】
2008504909.tif 000008
【図５ａ】
2008504909.tif 000009
【図５ｂ】
2008504909.tif 000010
【図６】
2008504909.tif 000011
【図７】
2008504909.tif 000012
【図８ａ】
2008504909.tif 000013
【図８ｂ】
2008504909.tif 000014
【図８ｃ】
2008504909.tif 000015
【図８ｄ】
2008504909.tif 000016
【図９ａ】
2008504909.tif 000017
【図９ｂ】
2008504909.tif 000018
【図１０ａ】
2008504909.tif 000019
【図１０ｂ】
2008504909.tif 000020
【国際調査報告】
2008504909.tif 000021
2008504909.tif 000022
2008504909.tif 000023